(57)【要約】【課題】簡単な構造で小型化が可能な照明付き鏡装置。【解決手段】  鏡本体２の縁部２ａ近辺から照明する照明付き鏡装置であって、鏡本体２の縁部２ａに、反射面側となる表面側及び逆の裏面側から縁部２ａを挟むようにして取着部材３が取付けられ、取着部材３の表面側を発光面５ａとしたこと。【選択図】図３
2011152330.tif 000002
【特許請求の範囲】
【請求項１】
鏡本体の縁部近辺から照明する照明付き鏡装置において、鏡本体の縁部に、反射面側となる表面側及び逆の裏面側から縁部を挟むようにして取着部材が取付けられ、取着部材の表面側を発光面としたことを特徴とする照明付き鏡装置。
【請求項２】
前記取着部材が、裏面側に配置される基板部と、表面側に配置される導光板からなる発光面部と、基板部と発光面部を連結する連結部と、基板部、発光面部及び連結部の少なくとも一つに保持され、発光面部へ投光する光源とを備えている請求項１記載の照明付き鏡装置。
【請求項３】
壁やキャビネット等の固定部に前記取着部材を連結して固定した請求項１又は２記載の照明付き鏡装置。
【発明の詳細な説明】
【技術分野】
【０００１】
本発明は、鏡本体の縁部近辺から照明する照明付き鏡装置に関するものである。
【背景技術】
【０００２】
従来、鏡本体の縁部近辺から照明する照明付き鏡装置としては、壁面に固定された略正方形板状の鏡支持部材と、鏡支持部材に係止部材で上下縁部を着脱可能に固定された略正方形状の鏡本体と、鏡本体の周縁部に沿った状態で鏡支持部材に取付け固定された照明器具と、鏡の反射面側の周縁部および照明器具の正面側を覆うように鏡支持部材に取付具で着脱可能に固定された額縁形状をした非透光性の枠体と、鏡の反射面と枠体との間隙に配置された導光部材とを備え、照明器具の光を導光部材で導いて鏡本体の反射面の中央部方向に向かって出射するようにして、高級感を備えたものがある（特許文献１）。
【先行技術文献】
【特許文献】
【０００３】
【特許文献１】特開２００８−２３３１６号公報
【発明の概要】
【発明が解決しようとする課題】
【０００４】
前記照明付き鏡装置は、鏡支持部材に対して、鏡本体と照明器具と枠体の各々を個別に固定しているため、構造的に複雑となって大型化する問題があった。
【０００５】
本発明は、鏡本体の縁部近辺から照明する照明付き鏡装置において、簡単な構造で小型化が可能なものの提供を目的とする。
【課題を解決するための手段】
【０００６】
簡単な構造とするために請求項１記載の本発明が採用した手段は、鏡本体の縁部近辺から照明する照明付き鏡装置において、鏡本体の縁部に、反射面側となる表面側及び逆の裏面側から縁部を挟むようにして取着部材が取付けられ、取着部材の表面側を発光面としたことを特徴とする照明付き鏡装置である。
【０００７】
発光機能を有する取着部材の小型化を図るために請求項２記載の本発明が採用した手段は、前記取着部材が、裏面側に配置される基板部と、表面側に配置される導光板からなる発光面部と、基板部と発光面部を連結する連結部と、基板部、発光面部及び連結部の少なくとも一つに保持され、発光面部へ投光する光源とを備えている請求項１記載の照明付き鏡装置である。
【０００８】
壁等の固定部に鏡装置を固定できるようにするため請求項３記載の本発明が採用した手段は、壁やキャビネット等の固定部に前記取着部材を連結して固定した請求項１又は２記載の照明付き鏡装置である。
【発明の効果】
【０００９】
請求項１記載の本発明に係る照明付き鏡装置は、鏡本体の縁部を挟むように発光機能を有する取着部材を取付けるだけで、鏡本体の縁部に照明を備えることができる簡単な構造とすることができる。
【００１０】
請求項２記載の本発明に係る照明付き鏡装置は、取着部材を構成する基板部、発光面部、連結部及び光源を一体化させて小型化を図ることが可能となり、省スペースで照明を備えることができる。
【００１１】
請求項３記載の本発明に係る照明付き鏡装置は、取着部材を利用することで、壁等の固定部に鏡装置を簡単に固定することができる。
【図面の簡単な説明】
【００１２】
【図１】第１の実施の形態に係る本発明の照明付き鏡装置（以下、「本発明鏡装置」と言う。）２（２１）をキャビネットＢに備えたミラーキャビネット付き洗面台Ａを示すものであって、図（Ａ）は正面図、図（Ｂ）は右側面図である。
【図２】第１の実施の形態に係る本発明鏡装置１を示すものであって、図（Ａ）は中間省略した平面図、図（Ｂ）は中間省略した正面図、図（Ｃ）は中間省略した右側面図である。
【図３】第１の実施の形態に係る本発明鏡装置１を示すものであって、部分断面すると共に中間省略した右側面の拡大図である。
【図４】第２の実施の形態に係る本発明鏡装置３１の要部を示すものであって、図（Ａ）は右側面図、図（Ｂ）は縦断面図、図（Ｃ）は図（Ａ）のｃ−ｃ線で断面した中間省略した底面図である。
【図５】第３の実施の形態に係る本発明鏡装置４１の要部を示すものであって、図（Ａ）は右側面図、図（Ｂ）は縦断面図、図（Ｃ）は図（Ａ）のｃ−ｃ線で断面した中間省略した底面図である。
【図６】第４の実施の形態に係る本発明鏡装置５１の要部を示すものであって、図（Ａ）は組立て前の分解した状態を示す縦断面図、図（Ｂ）は組立てた状態を示す縦断面図である。
【図７】第５の実施の形態に係る本発明鏡装置６１の要部を示すものであって、図（Ａ）は中間省略した平面図、図（Ｂ）は中間省略した正面図、図（Ｃ）は部分断面すると共に中間省略した右側面図である。
【図８】第５の実施の形態を示すものであって、図（Ａ）は組立て前の分解した状態を示す縦断面図、図（Ｂ）は組立てた状態を示す縦断面図である。
【図９】第６の実施の形態に係る本発明鏡装置７１を示すものであって、図（Ａ）は中間省略した正面図、図（Ｂ）は部分断面すると共に中間省略した右側面図である。
【発明を実施するための形態】
【００１３】
（第１の実施の形態）
図１乃至図３に示す第１の実施の形態に係る本発明鏡装置１は、図１に示すミラーキャビネット付き洗面台Ａの三面鏡の中央鏡装置を構成するものであって、鏡本体２の上下両縁部の左右幅方向の略全域又は一部域から前方へ向かって光を放って照明するようになっている。本発明鏡装置１は、図２及び図３に示す如く、鏡本体２の上縁部２ａ及び下縁部２ｂの各々に、鏡の反射面側となる表面側（前側）及び逆の裏面側（後側）から縁部２ａ又は２ｂを挟むようにして取着部材３が取付けられ、取着部材３の表面側を発光面５ａとしてある。なお、本発明鏡装置１は、他の照明装置等との関係で、上下の照明のうち、何れか一方を省略することも可能である。
【００１４】
本発明鏡装置１の取着部材３は、図３に示す如く、鏡本体２の裏面側に配置される基板部４と、鏡本体２の表面側に配置される導光板８Ａから形成した発光面部５と、導光板８Ａから連続的に延びて鏡本体２の裏面側縁部へ至る導光板８Ｂから形成した延長部６と、基板部４に保持され、発光面部５へ延長部６を介して投光する光源７とを備え、延長部６を基板部４に接着剤等で接合９して発光面部５と基板部４を連結してある。本例の延長部６は、発光面部５を基板部４を連結させる連結部の役割を担っている。
【００１５】
前記発光面部５の導光板８Ａ及び延長部６の導光板８Ｂを一体に形成する導光板８は、図３に示す如く、アクリル（ＰＭＭＡ）やガラス等の素材から側面形状が略Ｌ字状に形成され、光源７に対向させた導光板８Ｂの光入射端部８Ｂａと、光入射端部８Ｂａから入射した光（図中に破線の矢印線ａで示す。以下同様）を導光板８Ａの光出射面８Ａｂ（発光面５ａ）へ伝える光伝達部８ｃと、導光板８Ｂに伝達する光を導光板８Ａへ導くように設けた光反射部８ｄ，８ｅと、導光板８Ａの端部に必要に応じて設けた光反射部８ｆとを備えている。導光板８は、導光板８Ａと導光板８Ｂを一体形成することで両者の境界面８ｇが、導光板８Ｂの光出射面と導光板８Ａの光入射面となる。
【００１６】
前記発光面部５を形成する導光板８Ａは、図３に示す如く、鏡本体２の表面側と対面する裏面８Ａｊに凹溝加工を施して複数条の光散乱部８Ａｋが形成され、表面反射を繰り返して導光板８Ａの光伝達部８Ａｃに広がる光を光散乱部８Ａｋで散乱させて平坦な光出射面（発光面）８Ａｂ及び鏡本体２へ出光させるようにしてある。鏡本体２へ向かって出た光は、鏡本体２の銀膜で反射して導光板８Ａの光出射面（発光面）８Ａｂへ向けられ、光出射面（発光面）８Ａｂから出光する。なお、発光面部５は、導光板８Ａの光出射面（発光面）８Ａｂに拡散シート（図示略）を貼り付けて、光出射面（発光面）８Ａｂを均一に発光させるようにすることもある。また、導光板８Ａは、図示省略したが、光散乱部８Ａｋを光出射面（発光面）８Ａｂ側に設け、裏面８Ａｊを平坦面に形成することも可能である。
【００１７】
前記光源７は、配線基板７ａに複数個の小型の発光ダイオード（以下、「ＬＥＤ」と言う。）７ｂを適宜間隔で列状に配置したもの等が用いられる。光源７は、基板部４の段部４ａに熱伝導の良好な状態で保持され、ＬＥＤ７ｂ等から出る熱をアルミニュウム等の熱伝導性の良好な素材で成形した基板部４の表面から放熱させて、ＬＥＤ７ｂの異常昇温を阻止するようにしてある。
【００１８】
本発明鏡装置１は、図２及び図３に示す如く、取着部材３の基板部４の適所に固定用ネジ１２が螺着され、発光面部５及び固定用ネジ１２で鏡本体２の縁部２ａ又は２ｂを挟圧して保持することで、鏡本体２の上下の縁部２ａ，２ｂに取着部材３を着脱可能に取付け固定してある。着脱可能としない場合には、鏡本体２の裏面側に取着部材３の基板部４を接着剤（図示略）で固定するとよい。
【００１９】
本発明鏡装置１は、図１乃至図３に示す如く、取着部材３の左右両端を鏡本体２の縁部２ａ又は２ｂの左右両端と共に覆うように、端板１１，１１を取付けて見栄えよくしてある。また、本発明鏡装置１は、図３に示す如く、取着部材３の基板部４に前方へ突出する覆蓋部４ｂを必要に応じて設け、覆蓋部４ｂで延長部６及び光反射部８ｄ，８ｅを覆って見栄えよくしてある。
【００２０】
本発明鏡装置１は、図２及び図３に示す如く、キャビネットＢ（図１参照）に開閉可能に連結して固定するために、取着部材３に蝶番等からなる固定具１０が取付けられている。
【００２１】
図１に示すミラーキャビネット付き洗面台Ａの三面鏡の左右の鏡装置は、本発明鏡装置２１で構成されている。本発明鏡装置２１は、鏡本体２２の左右一方の縦縁部に前記取着部材３を取付けて、取着部材３の表面側を発光面５ａとしてある。
【００２２】
本発明鏡装置１（２１）は、光源７で発生した光を延長部６の導光板８Ｂ及び発光面部５の導光板８Ａからなる導光板８の光伝達部８ｃへ伝達させて導光板８Ａの光出射面８Ａｂ（発光面５ａ）から出射して鏡本体２（２２）の手前側を照明する。本発明鏡装置１（２１）は、発光機能を有する取着部材３を鏡本体２（２２）の縁部を挟むように取付けるだけで、鏡本体２（２２）の縁部に照明を備えることができる簡単な構造とすることができると共に、発光機能を有する取着部材３（図３参照））を構成する基板部４、発光面部５、連結部となる延長部６及び光源７を一体化させて小型化を図ることが可能となり、省スペースで照明を備えることができる。また、本発明鏡装置１は、蝶番等からなる固定具１０を利用することで、キャビネットＢ（図１参照）へ開閉自在な状態で簡単に固定することができる。
【００２３】
（第２の実施の形態）
図４に示す第２の実施の形態に係る本発明鏡構造３１は、発光面部５及び延長部６を一体に形成する導光板８と基板部４とを左右の端板１１，１１で連結した点が前記第１の実施の形態と大きく異なり、その他の部分については第１の実施の形態（図１〜図３）と実質的に同一であり、図４において図３と同一符号は相当部分を示す。本発明鏡構造３１は、第１の実施の形態と同様に、鏡本体２の下縁部（図示略）に取着部材３を取付けて構成されることもある。
【００２４】
各端板１１は、発光面部５の導光板８Ａと延長部６の導光板８Ｂを一体に形成する導光板８の左右の側面８ｇ（８ｈ）及び基板部４の左右の側面４ｄ（４ｅ）に、接着剤、粘着剤又はビス（図示略）等で接合３２している。本発明鏡構造３１は、取着部材３の導光板８、基板部４及び左右の端板１１，１１で囲まれた空間Ｓへ鏡本体２の上縁部２ａを挿入して、取着部材３と鏡本体２がビス１２又は接着剤等（図示略）で固定される。鏡本体２の下縁部（図示略）に取付ける取着部材３は、図４に示す取着部材３と上下対称に形成される。
【００２５】
本発明鏡構造３１は、取着部材３の導光板８及び基板部４と端板１１，１１との接合面積を大きくすることができるため、取着部材３を強固に組み上げることができる。なお、図（Ｂ）中二点鎖線で示す３３は、必要に応じて設けられる覆蓋部材である。
【００２６】
図１に示すミラーキャビネット付き洗面台Ａの三面鏡の左右の鏡装置は、取着部材３の発光面部５及び延長部６を一体に形成する導光板８と基板部４とを左右の端板１１，１１で連結したものを鏡本体２２の左右一方の縦縁部に取付けて、取着部材３の表面側を発光面５ａとして構成するとよい。この場合、蝶番等からなる固定具１０は省略される。
【００２７】
（第３の実施の形態）
図５に示す第３の実施の形態に係る本発明鏡構造４１は、発光面部５の導光板８Ａと延長部６の導光板８Ｂを一体に形成する導光板８を側面形状を略Ｌ字状に形成して、延長部６の導光板８Ｂの光入射端部８Ｂａを鏡本体２の上下の端面２ｃより上下方向の外側に位置させると共に、導光板８と基板部４を左右の端板１１，１１で連結４２して取着部材３を構成した点が前記第１の実施の形態（図１〜図３）と大きく異なり、その他の部分については第１の実施の形態と実質的に同一であり、図５において図３と同一符号は相当部分を示す。本発明鏡構造４１は、第１の実施の形態と同様に、鏡本体２の下縁部（図示略）に取着部材３を取付けて構成されることもある。
【００２８】
各端板１１は、発光面部５の導光板８Ａと延長部６の導光板８Ｂを一体に形成する導光板８の左右の側面８ｇ（８ｈ）及び基板部４の左右の側面４ｄ（４ｅ）に、接着剤、粘着剤又はビス（図示略）等で接合４２してある。本発明鏡構造４１は、取着部材３の導光板８、基板部４及び左右の端板１１，１１で囲まれた空間Ｓへ鏡本体２の上縁部２ａを挿入して、取着部材３と鏡本体２がビス１２で固定される。鏡本体２の下縁部（図示略）に取付ける取着部材３は、図５に示す取着部材３と上下対称に形成される。なお、図（Ｂ）中二点鎖線で示す４３は、必要に応じて設けられる覆蓋部材である。
【００２９】
取着部材３を構成する基板部４の段部４ａに配置された光源７は、基板部４に連結固定する以外に、左右の端板１１，１１又は延長部６に連結固定することも可能である。
【００３０】
図１に示すミラーキャビネット付き洗面台Ａの三面鏡の左右の鏡装置は、取着部材３の発光面部５及び延長部６を一体に形成する略Ｌ字状の導光板８と基板部４とを左右の端板１１，１１で連結したものを鏡本体２２の左右一方の縦縁部に取付けて、取着部材３の表面側を発光面５ａとして構成するとよい。この場合、蝶番等からなる固定具１０は省略される。
【００３１】
（第４の実施の形態）
図６に示す第４の実施の形態に係る本発明鏡構造５１は、鏡本体２の上縁部２ａに取付ける取着部材３を構成する延長部６の導光板８Ｂの光入射端部８Ｂａを鏡本体２の上端面２ｃより上下方向の外側へ位置させ、発光面部５及び延長部６を一体に形成する導光板８を鏡本体２の上縁部２ａの反射面側となる表面側（前側）及び上端面２ｃに接着剤又は粘着剤で接合５２させると共に、基板部４を鏡本体２の上縁部２ａの裏面側（後側）に接着剤又は粘着剤で接合５２させた点が前記第１の実施の形態（図１〜図３）と大きく異なり、その他の部分については第１の実施の形態と実質的に同一であり、図６において図３と同一符号は相当部分を示す。本発明鏡構造５１は、第１の実施の形態と同様に、鏡本体２の下縁部（図示略）に取着部材３を取付けて構成されることもある。
【００３２】
前記発光面部５及び延長部６を一体に形成する導光板８は、接合５２する面側に反射層５４を形成してある。なお、図中に示す５３は、必要に応じて設けられる覆蓋部材である。
【００３３】
図１に示すミラーキャビネット付き洗面台Ａの三面鏡の左右の鏡装置は、図６に示す取着部材３が断面した平面状態となるようにして、鏡本体２２の左右一方の縦縁部に取付けて、取着部材３の表面側を発光面５ａとして構成するとよい。この場合、蝶番等からなる固定具１０は省略される。
【００３４】
（第５の実施の形態）
図７及び図８に示す第５の実施の形態に係る本発明鏡構造６１は、鏡本体２の上縁部２ａ及び下縁部２ｂの各々に、鏡の反射面側となる表面側（前側）及び逆の裏面側（後側）から縁部２ａ又は２ｂ（図３参照）を挟むようにして取着部材６３が取付けられ、取着部材６３の表面側を発光面６５ａとしてある。取着部材６３は、鏡本体２の裏面側に配置される基板部６４と、鏡本体２の表面側に配置される導光板６８から形成した発光面部６５と、基板部６４から鏡本体２の表面側へ延びて発光面部６５を保持する連結部６６と、連結部６６に保持され、発光面部６５へ投光する光源７とを備え、連結部６６で発光面部６５と基板部６４を連結してある。
【００３５】
前記取着部材６３を形成する連結部６６は、図８に示す如く、発光面部６５の発光面側の周縁を覆う開口した前片部６６ａと、発光面部６５の端面６５ｃを覆う脱落防止片部６６ｂと、前片部６６ａと基板部６４を連結して光源７及び鏡本体２の端面２ｃを覆う連結片部６６ｃを備えている。
【００３６】
前記発光面部５を形成する導光板６８は、アクリル（ＰＭＭＡ）やガラス等の素材から形成され、光源７に対向させた光入射端部６８ａと、光入射端部６８ａから入射した光を光出射面６８ｂ（発光面６５ａ）へ伝える光伝達部６８ｃとを備えている。導光板６８は、表面側（前側）に凹溝加工を施して複数条の光散乱部６８ｋが形成され、表面反射を繰り返して光伝達部６８ｃに広がる光を光散乱部６８ｋで散乱させて光出射面（発光面）６８ｂ及び鏡本体２へ出光させるようにしてある。鏡本体２へ出た光は、鏡本体２で反射して導光板６８の光出射面（発光面）６８ｂへ向けられ、光出射面（発光面）６８ｂから出る。
【００３７】
前記光源７は、第１の実施の形態と同様に、配線基板７ａに複数個の小型のＬＥＤ７ｂを適宜間隔で列状に配置したものが用いられる。光源７は、基板部４の段部４ａに熱伝導の良好な状態で保持され、ＬＥＤ７ｂから出る熱をアルミニュウム等の熱伝導性の良好な素材から成形した連結部６６の表面から放熱させて、ＬＥＤ７ｂの異常昇温を阻止するようにしてある。
【００３８】
本発明鏡装置６１は、取着部材６３の左右両端を鏡本体２の縁部２ａ又は２ｂの左右両端と共に覆うように、端板１１，１１を必要に応じて取付けてある。また、本発明鏡装置６１は、キャビネットＢ（図１参照）に開閉可能に連結して固定するために、取着部材６３に蝶番等からなる固定具１０が取付けられている。
【００３９】
本発明鏡構造６１は、図８（Ａ）に示すように取着部材６３の導光板６８と基板部６４の間の空間Ｓへ鏡本体２の上縁部２ａを挿入して、図８（Ｂ）に示すように取着部材６３と鏡本体２がビス１２又は接着剤等（図示略）で固定される。
【００４０】
図１に示すミラーキャビネット付き洗面台Ａの三面鏡の左右の鏡装置は、図８（Ｂ）に示す取着部材６３が断面した平面状態となるようにして、鏡本体２２の左右一方の縦縁部に取付けて、取着部材６３の表面側を発光面６５ａとして構成するとよい。この場合、蝶番等からなる固定具１０は省略される。
【００４１】
（第６の実施の形態）
図９に示す第４の実施の形態に係る本発明鏡構造７１において前記第１の実施の形態に係る本発明鏡装置１（図１〜図３）との相違点は、壁面Ｗに取着部材３を上下の固定具７２，７２で連結して固定したことである。固定具７２は、壁面Ｗに取付けた一方の係合部７２ａと、取着部材３の基板部４に取付け他方の係合部７２ｂとからなり、両方の係合部７２ａ，７２ｂを着脱自在に係合させて、取着部材３を壁面Ｗに連結するようにしてある。
【００４２】
前記第２〜５の実施の形態に係る本発明鏡構造３１，４１，５１，６１に備える蝶番等からなる固定具１０を係合部７２ａ，７２ｂからなる固定具７２に置換して、壁面Ｗに連結固定させることも可能である。
【符号の説明】
【００４３】
１（２１，３１，４１，５１，６１，７１）…本発明鏡装置、２（２２）…鏡本体、２ａ…上縁部、２ｂ…下縁部、２ｃ…端面、３…取着部材、４…基板部、４ａ…段部、４ｂ…覆蓋部、４ｄ，４ｅ…側面、５…発光面部、５ａ…発光面、６…延長部、７…光源、７ａ…配線基板、７ｂ…ＬＥＤ、８…導光板、８ｃ…光伝達部、８ｄ，８ｅ，８ｆ…光反射部、８ｇ，８ｈ…側面、８Ａ…導光板（発光面部５用）、８Ａｂ…光出射面、８Ａｃ…光伝達部、８Ａｊ…裏面、８Ａｋ…光散乱部、８Ｂ…導光板（延長部６用）、８Ｂａ…光入射部、９…接合、１０…固定具、１１…端板、１２…ビス、２２…鏡本体、３２…接合、３３…覆蓋部材、４２…接合、４３…覆蓋部材、５２…接合、５３…覆蓋部材、６３…取着部材、６４…基板部、６５…発光面部、６５ａ…発光面、６５ｃ…上端面、６６…連結部、６６ａ…前片部、６６ｂ…脱落防止片部、６６ｃ…連結片部、６８…導光板、６８ａ…光入射端部、６８ｂ…光出射面、６８ｃ…光伝達部、６８ｋ…光散乱部、７２…固定具、７２ａ…一方の係合部、７２ｂ…他方の係合部、Ａ…ミラーキャビネット付き洗面台、Ｂ…キャビネット、Ｓ…空間、Ｗ…壁面
【図１】
2011152330.tif 000003
【図２】
2011152330.tif 000004
【図３】
2011152330.tif 000005
【図４】
2011152330.tif 000006
【図５】
2011152330.tif 000007
【図６】
2011152330.tif 000008
【図７】
2011152330.tif 000009
【図８】
2011152330.tif 000010
【図９】
2011152330.tif 000011